(57)【要約】      （修正有）【課題】高度ＢＳデジタル放送においてＩＰ再放送サービスを可能とするための番組関連情報を提供する。【解決手段】ＭＭＴ−ＴＬＶ方式多重されている放送信号送受信装置において、放送信号を送信する送信部と、放送信号に含まれる制御信号の情報を設定する設定部とを有する。設定部は、放送信号がＩＰ再放送される場合に、放送信号から分離した第１の制御情報を集約して放送信号とは別にＩＰマルチキャストの伝送路に送出する際に第１の制御情報の第１の識別情報を、同じビット長の放送信号を識別する第２の識別情報に置き換えて設定する。受信側は、放送信号から第１の制御情報を除いたＴＬＶ−ＭＭＴ方式で多重された第１の放送信号と、第１の制御情報とを受信する受信部とを有する放送信号送受信装置である。【選択図】図１
2020010313.tif 000002
【特許請求の範囲】
【請求項１】
ＭＭＴ−ＴＬＶ方式で多重されている信号を送信する放送信号送信装置において、
前記信号を放送信号として送信する送信部と、
前記信号に含まれる制御信号の情報を設定する設定部と、
を有し、
前記設定部は、前記制御信号のうち、前記信号がＩＰ再放送される場合に、前記信号から分離した第１の制御情報を集約して前記信号とは別にＩＰマルチキャストの伝送路に送出する際に前記信号に含まれて放送信号として送信されたことを識別させるために、前記第１の制御情報の第１の識別情報を、前記第１の識別情報と同じビット長であって前記信号を識別する第２の識別情報に置き換えて設定する
放送信号送信装置。
【請求項２】
ＭＭＴ−ＴＬＶ方式で多重されている信号を送信する放送信号送信装置において、
前記信号を放送信号として送信する送信部と、
前記信号に含まれる制御信号の情報を設定する設定部と、
を有し、
前記設定部は、前記制御信号のうち、前記信号がＩＰ再放送される場合に、前記信号から分離した第１の制御情報を集約して前記信号とは別にＩＰマルチキャストの伝送路に送出する際に前記信号に含まれて放送信号として放送されたことを識別させるために、前記第１の制御情報に、前記信号を識別する第２の識別情報を追加して設定する、
放送信号送信装置。
【請求項３】
前記制御信号は、ＴＬＶパケットまたはＭＭＴの制御信号である請求項１または請求項２に記載の放送信号送信装置。
【請求項４】
前記第１の制御情報は、ＭＨ−ＣＤＴ（MH-Common Data Table）またはＡＭＴ（Address Map Table）である請求項１または請求項２に記載の放送信号送信装置。
【請求項５】
前記第１の識別情報は、network_idまたはoriginal_network_idまたはtable_id_extentionのいずれかである請求項１に記載の放送信号送信装置。
【請求項６】
前記第２の識別情報は、tlv_stream_idである請求項１または請求項２に記載の放送信号送信装置。
【発明の詳細な説明】
【技術分野】
【０００１】
本発明の実施形態は、放送信号送信装置に関する。
【背景技術】
【０００２】
地上デジタルテレビジョン放送のＩＰ再放送(ＩＰ再配信ともいう)は、地上波中継局の補完措置として、放送信号の受信条件が不利な地域における地上デジタルテレビジョン放送を受信可能にするための有効な手段である。また放送信号の受信条件に関わらず、例えばアンテナの設置が不要などの理由から、地上デジタルテレビジョン放送の視聴方法の選択肢の１つとしても活用されている。ＢＳデジタル放送においても、同様にＩＰ再放送が存在している。
【０００３】
これら地上デジタルテレビジョン放送やＢＳデジタル放送におけるＩＰ再放送は、ＩＰＴＶフォーラムで既に標準化され、商用サービスが行われている。
例えば、地上デジタルテレビジョン放送におけるＩＰ再放送サービスにおいては、非特許文献７（後述する）記載のように地上デジタルテレビジョン放送同様に、各放送事業者の放送信号送信装置（例えば放送局）に対して、１つのネットワークが規定されている。ここでネットワークとは、１つの放送分配システムに対して規定されるＭＰＥＧ２−ＴＳ多重の集合体のことである。
【０００４】
ネットワークは、ネットワークＩＤ（network_id）で識別される。ＩＰ再放送サービスにおけるネットワークＩＤは、地上デジタルテレビジョン放送やＢＳデジタル放送のネットワークＩＤと同一の値が割り当てられている。
ＩＰ再放送は、各放送信号送信装置が送出する放送信号（ＴＳ：Transport Stream）を、ＩＰ再放送サービス事業者が運営する送信設備を介して、ＩＰ再放送サービスとしてＩＰマルチキャストにて受信装置に送信するのが一般的である。
【０００５】
各放送信号送信装置から送信された各放送信号（ＴＳ）に含まれるＳＩ(Service Information)等の番組関連情報や制御情報の信号は、ＩＰ再放送サービス事業者が運営する送信設備において、非特許文献７記載のようにその種類により２つの伝送経路を経由して受信装置に送信される。
【０００６】
１つ目の伝送経路は、各放送信号送信装置から送信される放送信号（ＴＳ）に多重されている番組（映像や音声）情報と一緒に、ＩＰマルチキャストにて送信される各局ＩＰマルチキャストである。
２つ目の伝送経路は、各放送信号送信装置から送信される放送信号（ＴＳ）に含まれるＳＩ等の番組関連情報や制御情報の信号を取り出して集約して、別の１つのＩＰマルチキャストにて送信するＳＩ専用マルチキャストである。地上放送の再放送の場合、ＳＩ専用マルチキャストは、放送信号としてネットワークＩＤが異なる複数のネットワークで送られてきたＳＩ信号を、まとめて１つのストリームとして送信するものである。
【０００７】
ＳＩ専用マルチキャストに対応する受信装置は、ＳＩ専用マルチキャストで送られてくるＳＩ等の番組関連情報や制御情報の各信号が、どの放送信号送信装置が送出する（どの持つネットワークもしくはどのＴＳで送信された）放送信号に多重されていたかを判別できる必要がある。そのため、ＳＩ専用マルチキャストで送られてくるＳＩ等の番組関連情報や制御情報の各信号は、もともとの放送信号を正しく識別できる情報を含んでいる。もともとの放送信号（ＴＳ）を識別できる情報は、非特許文献１（後述する）記載のtransport_stream_idである。このtransport_stream_idの値は、地上デジタルテレビジョン放送や、そのＩＰ再放送の場合は、network_idやoriginal_network_idと同じ値である。
【先行技術文献】
【非特許文献】
【０００８】
【非特許文献１】「デジタル放送に使用する番組配列情報  標準規格」  ARIB STD-B10 5.12版  2018年4月12日改定、一般社団法人  電波産業会
【非特許文献２】「デジタル放送用受信装置  標準規格（望ましい仕様）」  ARIB STD-B21 5.10版  2018年4月12日改定、一般社団法人  電波産業会
【非特許文献３】「デジタル放送におけるＭＭＴによるメディアトランスポート方式  標準規格」  ARIB STD-B60 1.12版  2018年4月12日改定、一般社団法人  電波産業会
【非特許文献４】「地上デジタルテレビジョン放送運用規定  技術資料」  ARIB TR-B14 6.3版  2018年1月22日改定、一般社団法人  電波産業会
【非特許文献５】「ＢＳ／広帯域ＣＳデジタル放送運用規定  技術資料」  ARIB TR-B15 7.1版  2016年7月6日改定、一般社団法人  電波産業会
【非特許文献６】「高度広帯域衛星デジタル放送運用規定  技術資料」  ARIB TR-B39 1.7版  2018年4月12日改定、一般社団法人  電波産業会
【非特許文献７】「地上デジタルテレビジョン放送ＩＰ再送信運用規定」  IPTVFJ STD-0005 1.4版  2017年7月18日策定、一般社団法人  ＩＰＴＶフォーラム
【発明の概要】
【発明が解決しようとする課題】
【０００９】
高度ＢＳによる４Ｋ／８Ｋの高度ＢＳデジタル放送の本放送が２０１８年１２月から開始されるのに伴い、高度ＢＳデジタル放送においてもＩＰ再放送サービスの提供が予想される。
高度ＢＳデジタル放送におけるＴＬＶパケットおよびＭＭＴの制御情報であるＳＩ(Signaling Information)信号は、地上デジタルテレビジョン放送やＢＳデジタル放送のＳＩ(Service Information)信号やＰＳＩ(Program Specific Information)信号等の番組関連情報や制御情報の内容や伝送形式を踏襲したものが多い。
【００１０】
したがって、高度ＢＳデジタル放送のＩＰ再放送サービスにおいても、各放送信号送信装置から送信される放送信号に含まれる番組関連情報や制御情報（ＳＩ信号）は、ＩＰ再放送サービス事業者が運営する送信設備において、各局ＩＰマルチキャストとＳＩ専用マルチキャストの２つの伝送経路に分けて受信装置に送出されることが想定される。
【００１１】
このＳＩ専用マルチキャストに対応する受信装置は、ＳＩ専用マルチキャストで送られてくる、ＭＭＴ−ＴＬＶ方式のＳＩ(Signaling Information)の各信号が、どの放送信号送信装置が送出する放送信号(ＴＬＶストリーム)に多重されていたかを判別できなければならない。そのためＳＩ専用マルチキャストで送られてくるＳＩの各信号は、もともと多重されていた放送信号（ＴＬＶストリーム）を正しく識別できる情報を含んでいる必要がある。
【００１２】
高度ＢＳデジタル放送の場合、もともとの放送信号（ＴＬＶストリーム）を識別できる情報は、地上デジタルテレビジョン放送等のＭＰＥＧ−２多重化方式の放送信号（ＴＳ）のtransport_stream_idに相当するtlv_stream_idである。
【００１３】
しかし非特許文献１、非特許文献３に示されるように、放送システムのＩＤの体系が、地上デジタルテレビジョン放送の場合と高度ＢＳデジタル放送の場合とで異なっているため、tlv_stream_idの値はnetwork_idやoriginal_network_idと同じではない。このため高度ＢＳデジタル放送においては、ネットワークＩＤを用いて、ＳＩ信号がもともと多重されていた放送信号を識別することはできない。このようなＳＩ信号を受信した受信装置は、ＳＩ専用マルチキャストで送られてきたＳＩ信号がもともと多重されていた放送信号（ＴＬＶストリーム）を、ネットワークＩＤを用いて識別することはできない、という課題がある。
【００１４】
また高度ＢＳデジタル放送のＩＰ再放送サービスにおいては、地上デジタルテレビジョン放送やＢＳデジタル放送の制御情報や番組関連の内容や伝送形式を踏襲しないＳＩ信号が、ＳＩ専用マルチキャストで送られる場合も想定される。ＳＩ信号の中には、もともと多重されていた放送信号（ＴＬＶストリーム）内で伝送することしか想定されておらず、多重されていた放送信号（ＴＬＶストリーム）から取り出し集約して別の１つのストリームに多重した場合には、tlv_stream_idのように重複なく一意に識別できる情報を持っていない情報テーブルも存在している。
【００１５】
このため、高度ＢＳデジタル放送において、新たにＳＩ専用マルチキャストで送られるＳＩ信号にも、もともと多重されていた放送信号（ＴＬＶストリーム）を識別できる情報が含まれていない場合も考えられる。このようなＳＩ信号を受信した受信装置は、ＳＩ専用マルチキャストで送られてきたＳＩ信号がもともと多重されていた放送信号（ＴＬＶストリーム）を、識別することができないという課題がある。
【００１６】
そこで本実施形態では、高度ＢＳデジタル放送においてＩＰ再放送サービスを可能とするためのＳＩ信号を提供することを目的とする。
【課題を解決するための手段】
【００１７】
本実施形態の放送信号送信装置は、
ＭＭＴ−ＴＬＶ方式で多重されている信号を送受信する放送信号送信装置において、
前記信号を放送信号として送信する送信部と、
前記信号に含まれる制御信号の情報を設定する設定部と、
を有し、
前記設定部は、前記制御信号のうち、前記信号がＩＰ再放送される場合に、前記信号から分離した第１の制御情報を集約して前記信号とは別にＩＰマルチキャストの伝送路に送出する際に前記信号に含まれて放送信号として送信されたことを識別させるために、前記第１の制御情報の第１の識別情報を、前記第１の識別情報と同じビット長であって前記信号を識別する第２の識別情報に置き換えて設定する
放送信号送信装置である。
【図面の簡単な説明】
【００１８】
【図１】図１は、本発明の実施形態に係る放送局、ＩＰ再放送サービス事業者が運営する送信装置、ネットワーク、受信装置のシステム全体の構成例を示す図である。
【図２】図２は、放送信号送信装置１００の構成を概略的に示した図である。
【図３】図３は、ＩＰ再放送サービス事業者が運営する送信装置１１０の構成を概略的に示した図である。
【図４】図４は、受信装置１３０の構成を概略的に示した図である。
【図５】図５は、ＩＰ再放送において、ＳＩ専用マルチキャストで送信する制御情報の一覧を示した図である。
【図６】図６は、地上デジタルテレビジョン放送おけるネットワークＩＤ(network_id)、トランスポートストリームＩＤ(ts_id)、サービスＩＤ(service_id)の関係と高度ＢＳデジタル放送におけるネットワークＩＤ(network_id)、ＴＬＶストリームＩＤ(tlv_stream_id)、サービスＩＤ(service_id)の関係とを概略的に示した図である。
【図７】図７は、ＭＨ−ＣＤＴのシンタックスを表している図である。
【図８Ａ】図８Ａは、拡張ＭＨ−ＣＤＴのシンタックスの例を示す図である。
【図８Ｂ】図８Ｂは、拡張ＭＨ−ＣＤＴのシンタックスの他の例を示す図である。
【図９】図９は、拡張ＡＭＴのシンタックスの例を示す図である。
【図１０】図１０は、ＩＰ再送信サービスにおける選局時のシーケンス例である。
【図１１】図１１は、ＩＰ再送信サービスにおけるＳＩ専用マルチキャストにてＴＬＶパケットおよびＭＭＴの制御情報を受信する場合のシーケンス例である。
【発明を実施するための形態】
【００１９】
以下、実施の形態について図面を用いて説明する。
（第１の実施形態）
図１は、本発明の実施形態に係る放送局１００、ＩＰ再放送サービス事業者が運営する送信装置１１０、通信ネットワーク１２０、受信装置１３０のシステム全体の構成例を示す図である。
【００２０】
１００は、放送番組を放送する放送信号送信装置（放送局とも呼ぶ）であり、放送番組サーバ１０１および第１の基本機能１０２を備える。放送信号送信装置１００は、各放送事業者の番組を集約して通信衛星１５０にアップリンクする地上局であってもよい。
【００２１】
放送番組サーバ１０１は、放送局１００として放送する番組のデータ、番組の名称、放送日時、内容の説明等を予め保存しておくエリアである。放送番組サーバ１０１は、各放送事業者から送られてきた番組等のデータを保存するサーバであってもよい。
第１の基本機能１０２は、放送局１００の基本的な機能であり、放送する番組の映像データや音声データ等を符号化（エンコードとも言う）し、ＳＩ信号を含めて多重化して放送信号として送出する機能を持つ。多重化方式は、非特許文献３に記載のＭＭＴ−ＴＬＶ方式を準拠するものとする。
【００２２】
１１０は、ＩＰ再放送サービス事業者が運営する送信装置である。送信装置１１０は、放送信号送信装置１００から送られてくる放送信号を受信する放送信号受信装置１１１と、放送信号受信装置１１１で受信した放送信号をＩＰ再放送するためのＩＰ送信装置１１２を含む。送信装置１１０は、通信衛星１５０経由で送られてくる放送信号をアンテナ１１３で受信する。
【００２３】
１２０は、送信装置１１０から送出されるＩＰ再放送の信号を受信装置１３０に届けるための通信ネットワークである。通信ネットワーク１２０は、ＩＰマルチキャストを実現するためのＩＰマルチキャスト網１２１と、ユーザの受信装置１３０がＰＩマルチキャスト網１２１に接続するためのアクセス回線１２２とＩＰマルチキャスト網１２１とアクセス回線１２２とのＩ／Ｆであるエッジルータ１２３を含む。
【００２４】
１３０はユーザの受信装置である。
図２は、放送信号送信装置１００の構成を概略的に示した図である。放送信号送信装置１００は、放送局サーバ１０１に蓄えられている放送番組を放送信号で送信するために、番組の映像データや音声データ等を符号化して放送信号して送出する。
【００２５】
２１１は、放送局サーバ１０１に蓄えられている番組の映像データを符号化（エンコードとも言う）する映像エンコーダである。映像エンコーダ２１１は、放送する番組を放送局サーバ１０１から読み出すと、読み出した番組の映像データをエンコードする。
【００２６】
２１２は、放送局サーバ１０１に蓄えられている番組の音声データを符号化する音声エンコーダである。音声エンコーダ２１２は、放送する番組を放送局サーバ１０１から読み出すと、読み出した番組の音声データをエンコードする。
２１３は、放送局サーバ１０１に蓄えられている番組の字幕データを符号化する字幕エンコーダである。字幕エンコーダ２１３は、放送する番組を放送局サーバ１０１から読み出すと、読み出した番組の字幕データをエンコードする。
【００２７】
２１４は、ＴＬＶパケットおよびＭＭＴの制御情報を生成する制御データ生成部である。非特許文献３に記載のように、ＴＬＶパケットの制御信号とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。制御データ生成部は、映像エンコーダ２１１、音声エンコーダ２１２、字幕エンコーダ２１３がエンコード対象とした番組に関する制御情報を含むＴＬＶパケットおよびＭＭＴの制御情報の信号を生成する。
【００２８】
２１５は、映像エンコーダ２１１が映像データをエンコードすることで生成した映像ストリーム、音声エンコーダ２１２が音声データをエンコードすることで生成した音声ストリーム、字幕エンコーダ２１３が字幕データをエンコードすることで生成した字幕ストリーム、制御データ生成部２１４で生成された制御データをＭＭＴ−ＴＬＶ方式で多重化する多重部である。多重化部２１５は、映像ストリーム、音声ストリーム、字幕ストリーム、ＴＬＶパケットおよびＭＭＴの制御情報を多重化したＴＬＶストリームを生成する。
【００２９】
２１６は、放送信号を放送波として送出する送信機である。送信機２１６は、多重化部２１５が生成したＴＬＶストリームを、１６ＡＰＳＫなどの変調や誤り訂正符号化などの伝送路符号化処理を行い放送信号として送出する。
図３は、ＩＰ再放送サービス事業者が運営する送信装置１１０の構成を概略的に示した図である。送信装置１１０は、放送信号送信装置１００から送られてくる放送信号のうちＩＰ再放送サービスの対象の各放送信号をすべて受信して、ＩＰマルチキャスト網１２１に送出するための処理を行う。
【００３０】
具体的には送信装置１１０が、アンテナ１１３を経由した放送信号（番組１）を、チューナ（１）３０１−１で受信したとする。受信した放送信号（番組１）は、復調処理部（１）３０２−１に送られ１６ＡＰＳＫなどの復調や誤り訂正復号され、ＴＬＶ／ＭＭＴ多重分離（１）３０３−１で、映像ストリーム、音声ストリーム、字幕ストリーム、ＴＬＶパケットおよびＭＭＴの制御情報に分離される。
【００３１】
ここでＴＬＶ／ＭＭＴ多重分離（１）３０３−１は、分離したデータのうち、ＴＬＶパケットおよびＭＭＴの制御情報に含まれる一部の制御情報を、ＳＩ専用ＴＬＶストリーム送出処理３０５に送り、映像ストリーム、音声ストリーム、字幕ストリームと残りのＴＬＶパケットおよびＭＭＴの制御情報をＭＭＴ−ＴＬＶ方式で再多重し、ＩＰ送出処理（１）３０４−１に送る。
【００３２】
同様に送信装置１１０が、アンテナ１１３を経由した放送信号（番組２）を、チューナ（２）３０１−２で受信したとする。受信した放送信号（番組２）は、復調処理部（２）３０２−２に送られ復調や誤り訂正復号され、ＴＬＶ／ＭＭＴ多重分離（２）３０３−２で、映像ストリーム、音声ストリーム、字幕ストリーム、ＴＬＶパケットおよびＭＭＴの制御情報に分離される。
【００３３】
ここでＴＬＶ／ＭＭＴ多重分離（２）３０３−２は、分離したデータのうち、ＴＬＶパケットおよびＭＭＴの制御情報に含まれる一部の制御情報を、ＳＩ専用ＴＬＶストリーム送出処理３０５に送り、映像ストリーム、音声ストリーム、字幕ストリームと残りのＴＬＶパケットおよびＭＭＴの制御情報をＭＭＴ−ＴＬＶ方式で再多重し、ＩＰ送出処理（２）３０４−２に送る。
【００３４】
同様に送信装置１１０が、アンテナ１１３を経由して放送信号（番組ｎ）を、チューナ（２）３０１−ｎで受信したとする。受信した放送信号（番組ｎ）は、復調処理部（ｎ）３０２−ｎに送られ復調や誤り訂正復号され、ＴＬＶ／ＭＭＴ多重分離（ｎ）３０３−ｎで、映像ストリーム、音声ストリーム、字幕ストリーム、ＴＬＶパケットおよびＭＭＴの制御情報に分離される。
【００３５】
ここでＴＬＶ／ＭＭＴ多重分離（ｎ）３０３−ｎは、分離したデータのうち、ＴＬＶパケットおよびＭＭＴの制御情報に含まれる一部の制御情報を、ＳＩ専用ＴＬＶストリーム送出処理３０５に送り、映像ストリーム、音声ストリーム、字幕ストリームと残りのＴＬＶパケットおよびＭＭＴの制御情報をＭＭＴ−ＴＬＶ方式で再多重し、ＩＰ送出処理（ｎ）３０４−ｎに送る。
【００３６】
ＩＰ送出処理（１）３０４−１は、ＴＬＶ／ＭＭＴ多重分離（１）３０３−１から送られてきた多重化された放送信号（番組１）を、映像ストリーム、音声ストリーム、字幕ストリームとＴＬＶパケットおよびＭＭＴの制御情報が含まれる番組（１）ストリームとしてＩＰマルチキャスト網１２１に送出する。
【００３７】
同様にＩＰ送出処理（２）３０４−２は、ＴＬＶ／ＭＭＴ多重分離（２）３０３−２から送られてきた多重化された放送信号（番組２）を、映像ストリーム、音声ストリーム、字幕ストリームとＴＬＶパケットおよびＭＭＴの制御情報が含まれる番組（２）ストリームとしてＩＰマルチキャスト網１２１に送出する。
【００３８】
同様にＩＰ送出処理（ｎ）３０４−３は、ＴＬＶ／ＭＭＴ多重分離（ｎ）３０３−ｎから送られてきた多重化された放送信号（番組ｎ）を、映像ストリーム、音声ストリーム、字幕ストリームとＴＬＶパケットおよびＭＭＴの制御情報が含まれる番組（ｎ）ストリームとしてＩＰマルチキャスト網１２１に送出する。
【００３９】
一方ＳＩ専用ＴＬＶストリーム送出処理３０５は、ＴＬＶ／ＭＭＴ多重分離（１）３０３−１、ＴＬＶ／ＭＭＴ多重分離（２）３０３−２、ＴＬＶ／ＭＭＴ多重分離（ｎ）３０３−ｎ各々から送られたてきたＴＬＶパケットおよびＭＭＴの制御情報を、ＭＭＴ−ＴＬＶ方式で多重し、１つのＳＩ専用ストリームとしてＩＰマルチキャスト網１２１に送出する。
【００４０】
番組（１）ストリームとしてＩＰ送出処理（１）３０４−１からＩＰマルチキャスト網１２１にＩＰマルチキャストとして送出すること、あるいは番組（２）ストリームとしてＩＰ送出処理（２）３０４−２からＩＰマルチキャスト網１２１にＩＰマルチキャストとして送出すること、あるいは番組（ｎ）ストリームとしてＩＰ送出処理（ｎ）３０４−ｎからＩＰマルチキャスト網１２１にＩＰマルチキャストとして送出することを、ＳＩ伝送経路の観点から各局ＳＩマルチキャストと呼んでもよい。
【００４１】
またＳＩ専用ストリームとしてＳＩ専用ＴＬＶストリーム送出処理３０５からＩＰマルチキャスト網１２１にＩＰマルチキャストとして送出することを、同じくＳＩ伝送経路の観点からＳＩ専用マルチキャストと呼んでもよい。
図４は、受信装置１３０の構成を概略的に示した図である。図４の受信装置１３０の例は、ＩＰ再放送サービス専用の受信装置の例である。
【００４２】
受信装置１３０は、ネットワークＩ／Ｆ４００、通信処理４０１、ストリーミング受信処理４０２を含む。これらネットワークＩ／Ｆ４００、通信処理４０１、ストリーミング受信処理４０２は、ＩＰ再放送サービス専用の受信装置としての機能となる。
４００は、アクセス回線１２２とのＩ／ＦであるネットワークＩ／Ｆである。
【００４３】
４０１は、アクセス回線１２２におけるプロトコルスタックの処理を行う通信処理である。
４０２は、エッジルータ１２３から送られてくる番組ストリームやＳＩ専用ストリームの受信処理を行うストリーミング受信処理である。
受信装置１３０は、これらＩＰ再放送サービス専用の受信装置としての機能以外に、デスクランブラ４０３、ＴＬＶ／ＭＭＴ分離処理４０４、音声デコード処理４０５、映像デコード処理４０６、制御データ解析部４０７、提示処理４０８、提示処理４０９、スピーカー４１０、表示画面４１１を含む。これらデスクランブラ４０３、ＴＬＶ／ＭＭＴ分離処理４０４、音声デコード処理４０５、映像デコード処理４０６、制御データ解析部４０７、提示処理４０８、提示処理４０９、スピーカー４１０、表示画面４１１からなる機能は、テレビジョン受信装置が持つ機能と同じような機能である。
【００４４】
またこれらの受信装置１３０の機能を動作させるための、ＣＰＵ４２５、ＲＯＭ４２３、ＲＡＭ４２４、ＮＶＲＡＭ４２１の資源を含む。
ここでアクセス回線１２２から送られてくる番組ストリームやＳＩ専用ストリームは、受信装置１３０のユーザが選択したチャンネル（Ａ）の番組（Ａ）のストリームであるとする。
【００４５】
受信装置１３０が、ユーザが選択したチャンネル（Ａ）の番組（Ａ）のストリームをアクセス回線１２２から取得する手順は次の通りである。
受信装置１３０のユーザが視聴する番組としてチャンネル（Ａ）の番組（Ａ）を選択すると、ストリーミング受信処理４０２は、チャンネル（Ａ）の番組（Ａ）のストリームを受信するために、最初にエッジルータ１２３に対してチャンネル（Ａ）のストリーム（Ａ）の送信要求を送信する。
【００４６】
エッジルータ１２３は、チャンネル（Ａ）の番組（Ａ）のストリームの送信要求を受信すると、各局ＩＰマルチキャストで送られてきたチャンネル（Ａ）の番組ストリーム（Ａ）を、ストリーミング受信処理４０２に送信する。
また受信装置１３０がＳＩ専用ストリームで送らてくる番組（Ａ）のＴＬＶパケットおよびＭＭＴの制御情報が必要な場合、ストリーミング受信処理４０２は、必要な番組（Ａ）のＴＬＶパケットおよびＭＭＴの制御情報を受信するために、エッジルータ１２３に対してＳＩ専用ストリームの送信要求を送信する。
【００４７】
エッジルータ１２３は、ＳＩ専用ストリームの送信要求を受信すると、ＳＩサーバ（後述する）からＳＩ専用ストリームで必要な番組（Ａ）のＴＬＶパケットおよびＭＭＴの制御情報を取得して、ストリーミング受信処理４０２に送信する。
ストリーミング受信処理４０２は、エッジルータ１２３から送られてきチャンネル（Ａ）の番組ストリーム（Ａ）のように、一般にスクランブルされた信号はデスクランブラ４０３に入力する。
【００４８】
デスクランブラ４０３は、番組ストリーム（Ａ）デスクランブルし、デスクランブルしたデータをＴＬＶ／ＭＭＴ分離処理４０４に入力する。
またストリーミング受信処理４０２は、ＳＩ専用ストリームのように、ノンスクランブルの信号は、そのままＴＬＶ／ＭＭＴ分離処理４０４に入力する。
【００４９】
ＴＬＶ／ＭＭＴ分離処理４０４は、デスクランブル後の番組ストリーム（Ａ）を、音声ストリームや映像ストリームやＴＬＶパケットおよびＭＭＴの制御情報に分離する。またＴＬＶ／ＭＭＴ分離処理４０４は、デスクランブル後のＳＩ専用ストリームをＴＬＶパケットおよびＭＭＴの制御情報に分離する。
【００５０】
ＴＬＶ／ＭＭＴ分離処理４０４は、番組ストリーム（Ａ）から分離した音声ストリームを音声デコーダ４０５に入力し、映像ストリームを映像デコーダ４０６に入力し、ＴＬＶパケットおよびＭＭＴの制御情報を制御データ解析部４０７に入力する。またＴＬＶ／ＭＭＴ分離処理４０４は、ＳＩ専用ストリームから分離したＴＬＶパケットおよびＭＭＴの制御情報も制御データ解析部４０７に入力する。このように制御データ解析部４０７には、番組ストリーム（Ａ）から分離したＴＬＶパケットおよびＭＭＴの制御情報の信号またはＳＩ専用ストリームから分離したＴＬＶパケットおよびＭＭＴの制御情報が入力される。
【００５１】
音声デコーダ４０５は、入力された音声ストリームをデコードし、デコードすることにより生成した音声信号を、スピーカー４１０より出力する。
映像デコーダ４０６は、入力された映像ストリームをデコードし、デコードすることにより生成した映像信号を、表示装置４１１に表示する。
【００５２】
制御データ解析部４０７は、入力されたＴＬＶパケットおよびＭＭＴの制御情報の解析を行い、音声デコード４０５のデコード処理や映像デコード４０６のデコード処理や再生に必要な制御を行ったり、ＴＬＶパケットおよびＭＭＴの制御情報として送られてきた画像データを、ＮＶＲＡＭ４２１に保存したりする。また、制御データ解析部４０７は、ＳＩ専用ストリームから分離したＴＬＶパケットおよびＭＭＴの制御情報の中からチャンネル（Ａ）の番組（Ａ）のＴＬＶパケットおよびＭＭＴの制御情報を取り出す。ストリーミング受信処理４０２は、ＳＩ専用ストリームから分離したＴＬＶパケットおよびＭＭＴの制御情報の中からチャンネル（Ａ）の番組（Ａ）のＴＬＶパケットおよびＭＭＴの制御情報を取り出す際に、ＳＩ専用ストリームに含まれるＴＬＶパケットおよびＭＭＴの制御情報の中に、チャンネル（Ａ）に関する情報が含まれているかどうかを判定して取り出す。チャンネル（Ａ）に関する情報とは、例えばチャンネル（Ａ）のストリームのtlv_stream_idである。
【００５３】
受信装置１３０とエッジルータ１２３との間の、選局時のシーケンス、ＳＩ専用ストリームの取得時のシーケンスについては、図１０、図１１を用いて説明する。
外部Ｉ／Ｆ４３０は、例えばＨＤＭＩ（登録商標）であったりＵＳＢであったりしてもよい。
【００５４】
図５は、ＩＰ再放送において、ＳＩ専用マルチキャストで送信する制御情報の一覧を示した図である。
図５（Ａ）は、非特許文献７記載の地上デジタルテレビジョン放送におけるＩＰ再放送において、ＳＩ専用マルチキャストで送られてくるＳＩ等の番組関連情報や制御情報の一覧を示している。
【００５５】
また図５（Ｂ）は、現状の地上デジタルテレビジョン放送におけるＩＰ再放送において使用されているＳＩ等の番組関連情報や制御情報の種類から想定される、高度ＢＳデジタル放送においてＩＰ再放送を行う場合に、ＳＩ専用マルチキャストで送られてくるＴＬＶパケットおよびＭＭＴの制御情報の例の一覧を示している。ＭＨ-ＳＤＴ、ＭＨ−ＥＩＴ、ＭＨ−ＣＤＴ、ＴＬＶ−ＮＩＴ、ＭＨ−ＢＩＴ、ＡＭＴは、非特許文献３記載のＴＬＶパケットおよびＭＭＴの制御情報である。
【００５６】
先に説明したように、地上デジタルテレビジョン放送おけるネットワークのネットワークＩＤと高度ＢＳデジタル放送における放送システムのＩＤの体系が異なっている。
図６は、地上デジタルテレビジョン放送におけるネットワークＩＤ(network_id)、トランスポートストリームＩＤ(ts_id)、サービスＩＤ(service_id)の関係と高度ＢＳデジタル放送におけるネットワークＩＤ(network_id)、ＴＬＶストリームＩＤ(tlv_stream_id)、サービスＩＤ(service_id)の関係とを概略的に示した図である。
【００５７】
図６（Ａ）は、地上デジタルテレビジョン放送おけるネットワークＩＤ、トランスポートストリームＩＤ(ts_id)、サービスＩＤの関係を表している。
非特許文献４に記載の通り、ネットワークＩＤはネットワークの識別子であり、ＴＳ＿ＩＤ(transport_stream_id)はＭＰＥＧ２−ＴＳのＴＳ(Transport Stream)の識別子であり、service_idはサービスの識別子である。
【００５８】
ネットワークＩＤは、各送出マスターに対して１つ割り当てられる。送出マスターとは、例えば放送信号送信装置１００である。ＴＳ＿ＩＤは、ＴＳごとに割り当てられるため、地上デジタルテレビジョン放送においては、ネットワークＩＤとＴＳ＿ＩＤは一対一の関係にある。
【００５９】
サービス(service)は、放送事業者が編成する編成チャンネルである。１つのＴＳの中には複数のサービスを含んでもよい。つまりＴＳ＿ＩＤとサービスＩＤ(service_id)は、一般に１対ｎ（ｎは１以上の整数）の関係にある。
６０１は、ある放送信号送信装置ＡにおけるネットワークＩＤ、トランスポートストリームＩＤ、サービスＩＤの関係を示している。放送信号送信装置Ａに対して１つのネットワークＩＤ＝Ａのネットワーク６０１−１が規定され、そのネットワーク６０１−１に対してＴＳ＿ｉｄ＝ＡのＴＳ６０１−２が１つ存在し、そのＴＳ６０１−２にはサービスＩＤ＝Ａ１のサービス６０１−３１と、サービスＩＤ＝Ａ２のサービス６０１−３２の複数のサービスが存在していることを示している。
【００６０】
同様に６０２は、ある放送信号送信装置ＢにおけるネットワークＩＤ、トランスポートストリームＩＤ、サービスＩＤの関係を示している。放送信号送信装置Ｂに対して１つのネットワークＩＤ＝Ｂのネットワーク６０２−１が規定され、そのネットワーク６０２−１に対してＴＳ＿ｉｄ＝ＢのＴＳ６０２−２が１つ存在し、そのＴＳ６０２−２にはサービスＩＤ＝Ｂ１のサービス６０２−３１と、サービスＩＤ＝Ｂ２のサービス６０２−３２の複数のサービスが存在していることを示している。
【００６１】
図６（Ｂ）は、高度ＢＳデジタル放送おけるネットワークＩＤ、ＴＬＶストリームＩＤ、サービスＩＤの関係を表している。
非特許文献６に記載の通り、ネットワークＩＤはネットワークの識別子であり、tlv_stream_idはＭＭＴ−ＴＬＶ方式のＴＬＶストリームの識別子であり、service_idはサービスの識別子である。
【００６２】
ネットワークＩＤは、高度ＢＳデジタル放送に１つ割り当てられている。tlv_stream_idは、ＴＬＶストリームごとに割り当てられるため、高度ＢＳデジタル放送においては、ネットワークＩＤとはtlv_stream_idは一対ｎ（ｎは１以上の整数）の関係にある。
【００６３】
サービス(service)は、放送事業者が編成する編成チャンネルである。１つのＴＬＶストリームの中には複数のサービスを含んでもよい。つまりＴＬＶストリームとサービスＩＤ(service_id)は、一般に１対ｎ（ｎは１以上の整数）の関係にある。
【００６４】
ここで高度ＢＳデジタル放送におけるネットワークＩＤは、地上デジタルテレビジョン放送の場合と異なり、放送信号送信装置が送出する放送波であるＴＬＶストリームの識別子であるtlv_stream_idと一対ｎ（ｎは１以上の整数）の関係にあるため、ネットワークＩＤから放送信号送信装置が送出する放送波であるＴＬＶストリームを特定することができない。
【００６５】
このため、ネットワークＩＤを含むＴＬＶパケットおよびＭＭＴの制御情報がＳＩ専用ストリームで送出された場合、ＳＩ専用ストリームを受信した受信装置１３０は、ＳＩ専用ストリームに含まれているＴＬＶパケットおよびＭＭＴの制御情報がもともと多重されていた放送信号のtlv_stream_idを、ネットワークＩＤから識別することが出来ない。
【００６６】
ネットワークの識別子としてネットワークＩＤ(network_id)以外にoriginal_network_idが存在しているが、非特許文献６記載の通りoriginal_network_id は、network_idの値を設定することになっている。
【００６７】
図５（Ｂ）に示すＴＬＶパケットおよびＭＭＴの制御情報の例の一覧において、network_idあるいはoriginal_network_idを含むＴＬＶパケットおよびＭＭＴの制御情報に、ＭＨ−ＣＤＴ(MH-Common_Data_Table)がある。
【００６８】
図７は、ＭＨ−ＣＤＴのシンタックスを表している図である。７０２に示すフィールドがoriginal_network_idである。
なお高度ＢＳデジタル放送では、ＭＨ−ＣＤＴは、各放送事業者が提供するＴＬＶストリーム内でのみ伝送される想定である。ＭＨ−ＣＤＴのシンタックスには、download_data_idが存在しているが、この識別子は各放送事業者の管理のもとにＴＬＶストリーム内でユニークに割り当てられるものであり、ネットワーク内では一意性は保証されない。したがってＭＨ−ＣＤＴがＳＩ専用ストリームで送出された場合、download_data_idは、もともと多重されていた放送信号識別する情報として利用することができない。
【００６９】
そこで本実施形態の放送信号送信装置は、ＭＨ−ＣＤＴに放送信号を識別する情報を付与した、拡張ＭＨ−ＣＤＴのＭＭＴ制御信号を生成する機能を備える。
図８Ａは、拡張ＭＨ−ＣＤＴのシンタックスの例を示す図である。図８Ａに示した例は、放送信号を識別する情報の付与として、ＭＨ−ＣＤＴのoriginal_network_idのフィールドをtlv_stream_idのフィールド８０１で置き換えた例である。フィールドの置き換えに伴い、ＣＲＣ_３２（Cyclic Redundancy Check32）８０２の値は、再計算して設定し直す。
【００７０】
さらに従来のＭＨ−ＣＤＴとの区別を明確にするために、table_idのフィールド（テーブルの識別値）８０３に、ＭＨ−ＣＤＴのtable_idのフィールドに設定されている値とは別の値を設定してもよい。table_idのフィールドの値の変更に伴い、ＣＲＣ_３２（Cyclic Redundancy Check32）８０２の値は、再計算して設定し直す。
【００７１】
図８Ｂは、拡張ＭＨ−ＣＤＴのシンタックスの他の例を示す図である。図８Ｂに示した例は、放送信号を識別する情報の付与として、ＭＨ−ＣＤＴのシンタックスにtlv_stream_idのフィールド８１１を追加した例である。フィールドの追加に伴い、ＣＲＣ_３２（Cyclic Redundancy Check32）８１２の値は、再計算して設定し直す。
【００７２】
さらに従来のＭＨ−ＣＤＴとの区別を明確にするために、table_idのフィールド（テーブルの識別値）８１３に、ＭＨ−ＣＤＴのtable_idのフィールドに設定されている値とは別の値を設定してもよい。table_idのフィールド８１３の値の変更に伴い、ＣＲＣ_３２（Cyclic Redundancy Check32）８１２の値は、再計算して設定し直す。
【００７３】
ＭＨ−ＣＤＴにシンタックスのoriginal_network_idフィールドをtlv_stream_idフィールドに置き換えたりtlv_stream_idフィールドを追加したりすることで、拡張ＭＨ−ＣＤＴを受信した受信装置１３０は、拡張ＭＨ−ＣＤＴがどの放送信号のＴＬＶストリームに含まれていたかを識別することができる。
【００７４】
図８Ａに示した例は、置き換えられるoriginal_network_idフィールドが、置き換えるtlv_stream_idと同じフィールドサイズのため、拡張ＭＨ−ＣＤＴのデータサイズが従来のＭＨ−ＣＤＴと同じとなり、ＳＩ専用ストリーム作成および送出時のレート制御を、従来のＭＨ−ＣＤＴを使用した場合と同じすることが可能となり、ＩＰ再放送送出装置での処理が容易となる。
【００７５】
図８Ｂに示した例は、従来のＭＨ−ＣＤＴの各フィールドのセマンティスクに変更を加えることなく拡張ＭＨ−ＣＤＴを構成することができる。またデータサイズがＭＨ−ＣＤＴとほぼ同じであるため、ＳＩ専用ストリームの作成および送出時のレート制御を、従来のＭＨ−ＣＤＴを使用した場合とほぼ同じすることが可能となり、ＩＰ再放送送出装置での処理が容易となる。
（第２の実施形態）
また、地上デジタルテレビジョン放送やＢＳデジタル放送のＩＰ再放送サービスにおいてＳＩ専用マルチキャストで送出されているＳＩ（Service Information）等の番組関連情報や制御情報の内容や伝送形式を踏襲しないＴＬＶパケットおよびＭＭＴの制御情報が、高度ＢＳデジタル放送のＩＰ再放送サービスにおいては、ＳＩ専用マルチキャストで送られる場合も想定される。この場合も、該当するＴＬＶパケットおよびＭＭＴの制御情報に、もともと多重されていた放送信号（ＴＬＶストリーム）を識別できる情報が含まれている必要がある。
【００７６】
このようなＴＬＶパケットおよびＭＭＴの制御情報の例として、ＡＭＴ（Address Map Table）がある。
ＡＭＴは、放送番組を識別するサービスＩＤとＩＰパケット伝送情報とを関連付ける情報を提供するテーブルである。ところがＡＭＴは、多重されていたもともとの放送信号（ＴＬＶストリーム）を識別できる情報が含まれていない。
【００７７】
このため、ＡＭＴがＳＩ専用ストリームで送出された場合、ＳＩ専用ストリームを受信した受信装置１３０は、もともと多重されていた放送信号のtlv_stream_idを、特定することができない。この結果、ＡＭＴを受信した受信装置１３０は、どのＴＬＶストリームで伝送されるサービスのＩＰ伝送情報であるのかを容易に特定することができない。
【００７８】
そこで本実施形態の放送信号送信装置は、ＡＭＴに放送信号を識別する情報を付与した、拡張ＡＭＴのＴＬＶパケット制御情報を生成する機能を備える。
図９は、拡張ＡＭＴのシンタックスの例を示す図である。図９に示した例は、ＡＭＴのtable_id_extentionフィールドをtlv_stream_idフィールド９０１で置き換えた例である。フィールドの置き換えに伴い、ＣＲＣ_３２（Cyclic Redundancy Check32）９０２の値は、再計算して設定し直す。
【００７９】
さらに従来のＡＭＴとの区別を明確にするために、table_idのフィールド（テーブルの識別値）９０３に、従来のＡＭＴのtable_idのフィールドに設定されている値とは別の値を設定してもよい。table_idのフィールド９０３の値の変更に伴い、ＣＲＣ_３２（Cyclic Redundancy Check32）９０２の値は、再計算して設定し直す。
【００８０】
なお拡張ＭＨ−ＣＤＴの場合と同様に、ＡＭＴのシンタックスにtlv_stream_idのフィールドを追加してもよい。フィールドの追加に伴い、ＣＲＣ_３２（Cyclic Redundancy Check32）９０２の値は、再計算して設定し直す。
【００８１】
この場合も従来のＡＭＴとの区別を明確にするために、table_idのフィールド（テーブルの識別値）９０３に、従来のＡＭＴのtable_idのフィールドに設定されている値とは別の値を設定してもよい。table_idのフィールド９０３の値の変更に伴い、ＣＲＣ_３２（Cyclic Redundancy Check32）９０２の値は、再計算して設定し直す。
【００８２】
ＡＭＴのtable_id_extentionフィールドをtlv_stream_idフィールドに置き換えることで、拡張ＡＭＴを受信した受信装置は、どのＴＬＶストリームので伝送されるサービスのＩＰ伝送情報であるかイベントＩＤであるかを容易に識別することができる。
【００８３】
以上のように本実施形態の放送信号送信装置は、拡張ＭＨ−ＣＤＴや拡張ＡＭＴを生成することで、ＩＰ再放送におけるＳＩ専用ストリームで送られてくるＴＬＶパケットおよびＭＭＴの制御情報を正しく処理することが可能となる。これによりＭＭＴ−ＴＬＶ方式の多重化方式において、ＩＰ再放送を実現することが可能となる。
【００８４】
図１０は、ＩＰ再送信サービスにおける選局時のシーケンス例である。ＩＰ再送信サービス送出サーバ１００１、選局情報サーバ１００２、ＳＩサーバ１００３は、図１のＩＰ送信装置１１２の中にあるとする。選局制御情報サーバ１００２は、ＩＰ再送信サービスを受信するための選局制御情報ファイルを提供するサーバである。ＳＩサーバ１００３は、ＳＩ専用マルチキャストを行うサーバである。
【００８５】
図１０は、ＩＰ再送信サービス送出サーバ１００１が、Ｓ１０１０で示す番組（１）ストリーム、Ｓ１０１１で示す番組（２）ストリーム、Ｓ１０１２で示す番組（３）ストリームをＩＰマルチキャスト網１２１に送出している状態を示している。また受信装置１００５は、Ｓ１０１０で示す番組（１）の視聴要求をエッジルータ１００４に出すことで、Ｓ１０１３に示すように、Ｓ１０１０で送られてきている番組（１）ストリームを受信しているとする。
【００８６】
このような状態において、受信装置１００５のユーザが、視聴する番組を番組（１）から番組（２）に切り替える（Ｓ１０１４）と、受信装置１００５は、エッジルータ１００４に対して現在視聴中の番組（１）のチャンネルに対応するマルチキャストアドレスへleave要求を行う（Ｓ１０１５）。次に受信装置１００５は、切り替え先の番組（２）のチャンネル対応するマルチキャストアドレスへのjoin要求を行う（Ｓ１０１６）。
【００８７】
これによりエッジルータ１００４は、切り替え先の番組（２）ストリームであるＳ１０１１のストリームを、受信装置１００５に対して送信する（Ｓ１０１７）。これにより受信装置１００５は、番組(２)ストリームを受信装置１００５の表示画面に表示することができる（Ｓ１０１８）。
【００８８】
このチャンネル切り替えにより、例えば番組（２）ストリームに多重されているＴＬＶパケットおよびＭＭＴの制御情報も同時に受信することができる。
また例えばチャンネル切り替えにより、ＳＩ専用マルチキャストにてＴＬＶパケットおよびＭＭＴの制御情報の受信が必要な場合もある。
【００８９】
図１１は、ＩＰ再送信サービスにおけるＳＩ専用マルチキャストにてＴＬＶパケットおよびＭＭＴの制御情報を受信する場合のシーケンス例である。図１０同様にＩＰ再送信サービス送出サーバ１００１が、Ｓ１０１０で示す番組（１）ストリーム、Ｓ１０１１で示す番組（２）ストリーム、Ｓ１０１２で示す番組（３）ストリームをＩＰマルチキャスト網１２１に送出しているとする。
【００９０】
受信装置１００５がＳＩ専用マルチキャストによりＴＬＶパケットおよびＭＭＴの制御情報を受信する場合、受信装置１００５は、ＳＩ専用マルチキャストのアクセス先情報（マルチキャストアドレス）を選局制御情報サーバ１００２より取得する（Ｓ１１１３）。受信装置１００５は、取得したアクセス先情報を用いて、ＳＩ専用マルチキャストのマルチキャストアドレスへのjoin要求を行う（Ｓ１１１４）。
【００９１】
これによりＳＩサーバ１００３からＳＩ専用マルチキャストＳ１１１５が、エッジルータ１００４に送られ、エッジルータからさらに受信装置１００５に送られる（Ｓ１０１６）。これにより受信装置１００５は、ＳＩ専用マルチキャストを取得することができる。
【００９２】
受信装置１００５は、ＳＩ専用マルチキャスト受信後に、ＳＩ専用マルチキャストのマルチキャストアドレスのleave要求を行う（Ｓ１１１６）。
ＳＩ専用マルチキャストを受信した受信装置１００５では、受信したＳＩ専用マルチキャストの中から、必要となるＴＬＶパケットおよびＭＭＴの制御情報を抽出する。受信装置１００５は、先に説明したように、多重されていたもともとの放送信号のストリームを識別する情報を用いて、必要となるＴＬＶパケットおよびＭＭＴの制御情報を抽出することができる。
【００９３】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００９４】
１００・・・放送信号送信装置、１１０・・・送信装置、１２１・・・ＩＰマルチキャスト網。１２３・・・エッジルータ、１３０・・・受信装置。
【図１】
2020010313.tif 000003
【図２】
2020010313.tif 000004
【図３】
2020010313.tif 000005
【図４】
2020010313.tif 000006
【図５】
2020010313.tif 000007
【図６】
2020010313.tif 000008
【図７】
2020010313.tif 000009
【図８Ａ】
2020010313.tif 000010
【図８Ｂ】
2020010313.tif 000011
【図９】
2020010313.tif 000012
【図１０】
2020010313.tif 000013
【図１１】
2020010313.tif 000014